(57)【要約】【課題】空調機にて家屋全体の空調を図る際の設計や施工の簡略化を図る。【解決手段】家屋１００は、導入した外気を空調機１４０にて目標温度に空調し、空調済み空気を、通気孔１９０から天井１０８の第１空気流路２００を経て空気導入口１６０に導き、住居空間に入り込ませる。また、住居空間に空気排出口１７０を備え、住居空間の空気を空気排出口１７０から第２空気流路２１０に入り込ませ、外気放出口２２２を経て外気に放出する。空調済み空気の通過経路を形成する第１空気流路２００と、排出空気の通過経路を形成する第２空気流路２１０は、共に、床や壁の構築材である根太２０２や柱２１１等にて形成されている。【選択図】図１
2013195023.tif 000002
【特許請求の範囲】
【請求項１】
複数の区画部を有する家屋であって、
空調機室と、
該空調機室の室内の空気を目標温度に空調する空調機と、
前記空調機室の室内に外気を導入する外気導入路と、
前記区画部に空気を導入する空気導入口と、
前記区画部の空気を排出する空気排出口と、
前記空調機室で空調された空気を前記空気導入口に導く導入路と、
複数の前記区画部の空気を前記空気排出口を経て外気に放出する放出路とを備え、
前記導入路は、
前記区画部を区画する床および／または壁を構築する家屋構造材にて形成される第１の形成空間を、前記空調機室に繋いで形成されている
家屋。
【請求項２】
前記放出路は、前記区画部を区画する床および／または壁を構築する家屋構造材にて形成される第２の形成空間を、前記空気排出口に繋ぐと共に、前記家屋の外壁に形成された外気放出口にも繋いで形成されている請求項１に記載の家屋。
【請求項３】
請求項２に記載の家屋であって、
前記導入路を形成する前記第１の形成空間は、前記床を構築する家屋構造材である根太の並びに沿って形成される床組の空間および／または前記壁を構築する家屋構造材である柱材の間の空間とされ、
前記放出路を形成する前記第２の形成空間は、前記第１の形成空間と異なる前記床組の空間および／または前記柱材の間の空間とされている
家屋。
【請求項４】
請求項１ないし請求項３のいずれかに記載の家屋であって、
前記導入路は、前記空気導入口に向けた空気の送風を図る送風機を備え、
前記放出路は、前記区画部の空気の前記空気排出口からの吸引を図る吸引機を備える
家屋。
【発明の詳細な説明】
【技術分野】
【０００１】
本発明は、複数の区画部を有する家屋に関する。
【背景技術】
【０００２】
家屋は、住居であれば、居間、台所、客間、廊下等の複数の住居空間を区画して備え、オフィスであれば、事務室、応接室、トイレ等の複数の区画部を区画して備え、その空調は住居空間ごとに個別に行うことが主流であった。近年では、セントラル空調システムが多用されつつある。そして、最近では、家庭用の市販の空調機、いわゆるエアコンにて家屋全体の空調を図る新たな空調システムが開発されるに到った（例えば、特許文献１）。
【先行技術文献】
【特許文献】
【０００３】
【特許文献１】特開２０１１−１７４６７４号公報
【発明の概要】
【発明が解決しようとする課題】
【０００４】
この特許文献で提案された空調システムは、既存のセントラル空調システムとも異なることから、種々改善の余地が残されている。例えば、空調済みの空気を導入する居間等の住居空間が増えるほど、空調機室から居間等にまで配設するダクトの数が増える。よって、ダクトを人目に付かないように引き回すための家屋設計や、施工工事が必要となる。こうした家屋設計や施工工事は、既存の家屋にはないものであることから、改善の余地が残されていた。
【０００５】
本発明は、上記した課題を踏まえ、空調機にて家屋全体の空調を図る際の設計や施工の簡略化を図ることを目的とする。
【課題を解決するための手段】
【０００６】
上記した目的の少なくとも一部を達成するために、本発明は、以下の適用例として実施することができる。
【０００７】
[適用例１：家屋]
複数の区画部を有する家屋であって、
空調機室と、
該空調機室の室内の空気を目標温度に空調する空調機と、
前記空調機室の室内に外気を導入する外気導入路と、
前記区画部に空気を導入する空気導入口と、
前記区画部の空気を排出する空気排出口と、
前記空調機室で空調された空気を前記空気導入口に導く導入路と、
複数の前記区画部の空気を前記空気排出口を経て外気に放出する放出路とを備え、
前記導入路は、
前記区画部を区画する床および／または壁を構築する家屋構造材にて形成される第１の形成空間を、前記空調機室に繋いで形成されている
ことを要旨とする。
【０００８】
この適用例１の家屋では、空調機室の室内に外気導入路を経て外気を導入し、その導入した外気（空調機室内の空気）を空調機にて目標温度に空調する。この空調済み空気は、導入路にて空気導入口に導かれ、各区画部、即ち、住居であれば、居間、台所、客間、廊下等の複数の住居空間である各区画部、オフィスであれば、事務室、応接室、トイレ等の複数の区画部に入り込む。その一方、それぞれの区画部の空気は、空気排出口から放出路に入り込み、家屋外壁の外気放出口を経て外気に放出される。こうした空調済み空気の導入と排出により空気の循環が起き、住居空間のそれぞれは、空調済み空気により空調される。
【０００９】
そして、適用例１の家屋は、空調済み空気が流れる導入路を、家屋の区画部を区画する床および／または壁を構築する家屋構造材にて形成される第１の形成空間とした上で、この第１の形成空間を空調機室に繋ぐ。第１の形成空間は、例えば、前記床を構築する家屋構造材である根太の並びに沿って形成される床組の空間とでき、これら空間は、既存の家屋において、通常、存在する。この結果、上記の適用例１の家屋によれば、空調機にて家屋全体の空調を図るに当たって、既存の家屋設計手法や施工工事手法を適用できることから、設計や施工を簡略化できる。
【００１０】
また、空調機室からそれぞれの区画部の空気導入口までの全ての経路に亘ってダクトを引き回す必要がないことから、ダクトを人目に付かないような特別な設計手法や施工が不要となる。通常、ダクトは、直径が１５０〜２００ｍｍ程度であることから、ダクトを床と天井の間に引き回したり、壁の中を引き回すと、ダクト径の分だけ、床と天井の間隔や壁の厚みが増し、居間や台所といった居住空間、或いは事務室の狭小化を招きやすい。ところが、上記の適用例１の家屋によれば、空調機室からそれぞれの区画部の空気導入口までの全ての経路に亘るダクトが不要なことから、床と天井の間隔や壁の厚みを既存の家屋と同程度にでき、住居空間の狭小化を抑制できる。
【００１１】
上記した適用例１の家屋は、次のような態様とすることができる。例えば、放出路を、家屋の区画部を区画する床および／または壁を構築する家屋構造材にて形成される第２の形成空間とした上で、この第２の形成空間を空気排出口に繋ぐと共に家屋外壁の外気放出口にも繋ぐようにできる。この第２の形成空間は、例えば、前記床を構築する家屋構造材である根太の並びに沿って形成される床組の空間や、前記壁を構築する家屋構造材である柱材の間の空間とでき、これら空間は、既存の家屋において、通常、存在する。この結果、放出路についても、上記の導入路と同様の扱いができることから、既存の家屋設計手法や施工工事手法の適用を経て、設計や施工を簡略化できる。
【００１２】
また、前記導入路については、これを、前記空気導入口に向けた空気の送風を図る送風機を、例えば第１の形成空間の適宜箇所や空気導入口自体に備えるものとし、前記放出路については、これを、前記区画部の空気の前記空気排出口からの吸引を図る吸引機を、例えば第２の形成空間の適宜箇所や空気排出口自体に備えるものとできる。こうすれば、空調済み空気の導入と排出による空気の循環が確実となるので、住居空間の空調効果の実効性を向上できる。そして、送風機や吸引機を床形成時や壁形成時に設置するだけで済むので、簡便である。
【図面の簡単な説明】
【００１３】
【図１】本発明の一実施例としての家屋１００の概略構成を模式的に縦断面視して示す説明図である。
【図２】家屋１００の２階天井付近を水平断面視して部屋割りと空気経路との関係を示す説明図である。
【図３】１階の天井１０５と２階の床１０６とにおける第１空気流路２００の形成の様子を示す説明図である。
【図４】外壁１０３における第２空気流路２１０の形成の様子を示す説明図である。
【図５】１階の天井１０５と２階の床１０６から外壁１０３への第１空気流路２００の繋ぎの様子を模式的に示す説明図である。
【図６】空調済み空気の導入とその排出の効率化を図る一手法を示す説明図である。
【図７】第１変形例の家屋１００Ａの概略構成を図１相当に模式的に縦断面視して示す説明図である。
【図８】第２変形例の家屋１００Ｂの概略構成を図１相当に模式的に縦断面視して示す説明図である。
【発明を実施するための形態】
【００１４】
以下、本発明の実施の形態について、その実施例を図面に基づき説明する。図１は本発明の一実施例としての家屋１００の概略構成を模式的に縦断面視して示す説明図、図２は家屋１００の２階天井付近を水平断面視して部屋割りと空気経路との関係を示す説明図である。
【００１５】
図示するように、本実施例の家屋１００は、基礎１０１に建てられた高気密・高断熱の２階建て住居であって、各階に複数の住居空間を有する。住居空間の割り当ては、一般的なものとすることができ、１階には、キッチン等を含む第１ルーム１００ｒ１、居間や客間等として使用する第２ルーム１００ｒ２などの住居空間が１階の床１０２、外壁１０３、内壁１０４、および１階の天井１０５にて区画されている。２階には、子供部屋や寝室等として使用する第３ルーム１００ｒ３、第４ルーム１００ｒ４などの住居空間が２階の床１０６、外壁１０３、内壁１０４、および２階の天井１０８にて区画されている。図２に示すように、家屋１００は、２階の第３ルーム１００ｒ３や第４ルーム１００ｒ４および第５ルーム１００ｒ５の各住居空間を結ぶ廊下１００ｒ６や階段１００ｒ７を備え、これらについても、外壁１０３や内壁１０４、床１０６および天井１０８（図１参照）にて区画する。なお、階段１００ｒ７にあっては、１階の床１０２にても区画される。また、各住居空間の周囲における区画は、その全面を区切る必要はなく、周壁の一部を開放するようにすることもできる。この他、家屋１００は、トイレや玄関等の住居空間も有するが、これらについても、以下に説明する空調システム１２０にて空調することができる。
【００１６】
家屋１００は、屋根１０９と２階の天井１０８の間の屋根裏１１０に、空調システム１２０を有する。この空調システム１２０は、空調機室１２１と、空調機１４０と、外気導入系１５０とを有する。空調機室１２１は、既述した第１ルーム１００ｒ１等の住居空間とは別に形成され、その内壁を断熱材にて被覆し、後述の空調機１４０にて空調された空気の熱を外部に漏らさないようにしている。空調機室１２１は、室内に仕切プレート１２２を有する。この仕切プレート１２２は、空調機室１２１の内部空間を、吸気側と空調側に区分する。また、空調システム１２０は、空調機１４０が設置された空調側域に、モーター駆動の空気送風機１２３を備え、この空気送風機１２３にて、空調済み空気を空調機室１２１の下面の通気孔１９０から送風する。なお、空調システム１２０のメンテナンスは、屋根裏１１０に続く収納タイプの階段が用いられる。
【００１７】
空調機１４０は、空調機室１２１の仕切プレート１２２を乗り越えてきた空気を目標温度に空調する市販のエアコンであり、空調した空気（空調済み空気）を吹き出す。空調機１４０の室外機（図示略）は、家屋１００の外に設置されている。外気導入系１５０は、外壁１０３に設置済みの外気吸入部１５１から空調機室１２１の接続部１５３までの外気導入管１５４に、熱交換器１５５と、エアフィルター１５６を有する。熱交換器１５５は、後述の第１空気流路２００或いは第２空気流路２１０を流れる空気と外気導入管１５４を通過する空気の熱交換を行い、空調機１４０による空調のエネルギーロスの低減を図る。空調機１４０は、外気導入系１５０から導入されて除塵済みの空気（外気）を目標温度に空調する。ここで、空調の目標温度と、総風量について、簡単に説明する。
【００１８】
空調システム１２０は、特開２０１１−１７４６７４号公報で提案された空調システムとほぼ同じスペックとできる。つまり、空調機１４０は、空調機室１２１の室内の目標温度と、空調対象である上記した住居空間の目標温度とが、冷房空調の際には、摂氏５℃以内の温度差、暖房空調の際には摂氏１０℃以内の温度差で、空調機室１２１の室内の空気を空調する。そして、空調システム１２０は、空気送風機１２３により、空調済み空気を１００〜５，０００ｍ3／ｈの流量で送り出す。このように大流量での空調済み空気の送風により、各住居空間の温度を適度に維持して快適性を確保している。
【００１９】
家屋１００は、第１ルーム１００ｒ１等の各住居空間に、空気導入口１６０と、空気排出口１７０とを有する。空気導入口１６０は、その設置された住居空間、例えば、第１ルーム１００ｒ１に空調済み空気を導入する。空気排出口１７０は、その設置された住居空間の空気を排出する。空気排出口１７０にあっては、各住居空間において通常、一つあれば足り、空気導入口１６０は、住居空間の広さに応じて一つ或いは二つ設置される。例えば、キッチンと食卓を含む高床面積の第１ルーム１００ｒ１では、これを区画する１階の天井１０５と内壁１０４に設置される。この場合、空気排出口１７０についても、内壁１０４に設置できるほか、例えば、内壁１０４の下端側に図示しない通気孔を設ければ、内壁１０４の両側の住居空間で一つとすることもできる。本実施例では、１階の床１０２にも空気導入口１６０と空気排出口１７０を備え、床下１１１についても、第１ルーム１００ｒ１等と同じように、空調済み空気の導入とその放出を図る。
【００２０】
本実施例の家屋１００は、各住居空間の空気導入口１６０と空調システム１２０の空調機室１２１とを、第１空気流路２００で結び、空調機室１２１で空調機１４０により空調済みの空気を、この第１空気流路２００を経て各住居空間の空気導入口１６０に導く。また、家屋１００は、各住居空間の空気排出口１７０と外壁１０３に設置済みの外気放出口２２２とを、第２空気流路２１０にて結び、各住居空間内の空気を第２空気流路２１０を経て外気放出口２２２から家屋外部の外気に放出する。第１空気流路２００と第２空気流路２１０は、図１に示す断面視方向ではその軌跡が重なって見えるが、図２に示すように、平面視では異なる流路軌跡とされている。
【００２１】
第１空気流路２００は、図２に示すように、図中のｘ方向に延びる流路（以下、ｘ方向流路と称する）と、ｙ方向に延びる流路（以下、ｙ方向流路と称する）で構成され、空気導入口１６０は、第１空気流路２００のｘ方向流路に沿って、或いは、ｙ方向流路に沿って配設されている。空気排出口１７０についても同様であり、第２空気流路２１０を構成するｘ方向流路或いはｙ方向流路に沿って配設されている。本実施例では、図２の平面視において、外気放出口２２２は、第２空気流路２１０のｙ方向流路の端部に位置する。また、空調システム１２０は、その空調機室１２１を第１空気流路２００のｙ方向流路上に置き、通気孔１９０を第１空気流路２００に空けている。
【００２２】
ここで、第１空気流路２００と第２空気流路２１０の形成の様子について説明する。図３は１階の天井１０５と２階の床１０６とにおける第１空気流路２００の形成の様子を示す説明図、図４は外壁１０３における第２空気流路２１０の形成の様子を示す説明図である。
【００２３】
図３に示すように、１階の天井１０５と２階の床１０６は、けた、大ばり、小ばりといった枠材２０１に既存の根太２０２を組み込んで構築され、その上下に、天井側のパネル２０４と床側のパネル２０５を備える。根太２０２は、床側の面が面一となるよう根太２０２に組み込まれ、天井側では、パネル２０４の上面に隙間を形成する。この隙間は、根太２０２の並びに沿って形成され、本実施例では、第１空気流路２００のｙ方向流路を形成する。また、本実施例では、根太２０２の一部を、下面がパネル２０４の上面に隙なく当接する仕切用根太２０３とする。この仕切用根太２０３は、第１空気流路２００のｙ方向流路の端部を形成することになり、図示する間隔Ｌを隔てて、もう一枚、組み込まれる。こうして間隔Ｌを隔てて対向する仕切用根太２０３は、図２に示した第１空気流路２００のｘ方向流路の経路長Ｌを規定する。
【００２４】
上記のように枠材２０１と根太２０２および仕切用根太２０３で形成された第１空気流路２００のｙ方向流路は、パネル２０５が組み付けられることにより、空調機室１２１（図１参照）の通気孔１９０と繋がる。よって、空調機室１２１の空調機１４０で空調済みの空気は、通気孔１９０を通過して第１空気流路２００のｙ方向流路に入り込み、当該流路を流れる。この第１空気流路２００のｙ方向流路には、図示および既述したように空気導入口１６０が設置されているので、空調済み空気は、第１空気流路２００のｙ方向流路を通過して空気導入口１６０から、当該導入口を有する住居空間に入り込み、当該空間を空調する。
【００２５】
枠材２０１は、根太２０２で挟まれた一部の上面領域を凹部２０７とする。このため、既述したように通気孔１９０を経て第１空気流路２００のｙ方向流路に入り込んだ空調済み空気は、凹部２０７からｘ方向に進んで、当該凹部を有する枠材２０１の隣の第１空気流路２００のｙ方向流路に入り込み、当該流路を流れる。つまり、図２においてｘ方向に並ぶ第１空気流路２００のｙ方向流路がそれぞれ凹部２０７にてｘ方向で繋がって延びることで、第１空気流路２００のｘ方向流路が形成される。この第１空気流路２００のｘ方向流路にあっても、図２を用いて既述したように空気導入口１６０が設置されているので、空調済み空気は、第１空気流路２００のｘ方向流路を通過して空気導入口１６０から、当該導入口を有する住居空間に入り込み、当該空間を空調する。１階の天井１０５と２階の床１０６および天井１０８には、第２空気流路２１０も形成されるが、その手法は、上記した第１空気流路２００の形成手法と同じである。１階の床１０２においても同様である。
【００２６】
図４に示すように、外壁１０３は、柱２１１や間柱２１２に既存の胴縁２１３を組み込んで構築され、その内外に、内側のパネル２１４と外側のパネル２１５を備える。胴縁２１３は、内側の面が面一となるよう柱２１１と間柱２１２に組み込まれ、外側では、パネル２１５の側に隙間を形成する。この隙間は、柱２１１や間柱２１２といった柱材の間に上下に延びて形成され、本実施例では、第２空気流路２１０の上下方向流路を形成する。なお、第２空気流路２１０は、外気に放出する空気の流路であるため、既述した第１空気流路２００のように流路端部を形成する必要性が低い。よって、外壁１０３における第２空気流路２１０の形成に際しては、仕切用根太２０３の様な細工を胴縁２１３に要しない。その一方、外壁１０３に第１空気流路２００を形成する場合には、空気導入口１６０の無いところに空調済み空気を流す必要はなく、熱損失を図ることが望ましい。よって、外壁１０３に上下に延びる第１空気流路２００の形成に際しては、パネル２１５に密着する胴縁２１３にて、既述したように第１空気流路２００の上下方向流路の経路長Ｌを規定する。
【００２７】
間柱２１２は、胴縁２１３で挟まれた一部の上面領域を凹部２１６とする。このため、ある第２空気流路２１０を通過する空気は、凹部２１６から水平方向に進んで、当該凹部を有する間柱２１２の隣の第２空気流路２１０に入り込み、当該流路を流れる。この第２空気流路２１０は、図４に示すように、その上端において外気放出口２２２と繋がっているので、第２空気流路２１０を通過する空気は、外気放出口２２２から外気に放出される。１階および２階の内壁１０４には、第１空気流路２００が形成され、必要に応じて第２空気流路２１０も形成されるが、その手法は、上記した第２空気流路２１０の形成手法と同じである。
【００２８】
次に、１階の天井１０５と２階の床１０６から外壁１０３や内壁１０４への流路の繋ぎ、１階の天井１０５と２階の床１０６を挟んだ流路の繋ぎについて説明する。図５は１階の天井１０５と２階の床１０６から外壁１０３への第１空気流路２００の繋ぎの様子を模式的に示す説明図である。
【００２９】
図５に示すように、１階と２階の繋ぎ箇所には、胴差し２１７が組み込まれ、この胴差し２１７の上下面に、ほぞ等の継手手法で柱２１１や間柱２１２が組み付けられる。このため、胴差し２１７の上方側の第１空気流路２００と１階の天井１０５と２階の床１０６に形成した水平方向の第１空気流路２００とは、胴差し２１７で分断される。この分断された第１空気流路２００は、胴差し２１７に設けた傾斜部２１８と、パネル２１４に設けた貫通孔２１９とで繋がれる。よって、水平方向の第１空気流路２００を流れる空気（空調済み空気）は、胴差し２１７の上方側の第１空気流路２００に入り込んで当該流路を流れる。水平方向の第１空気流路２００を胴差し２１７の下方側の第１空気流路２００と繋ぐには、胴差し２１７の傾斜部２１８を逆にすればよい。水平方向の第１空気流路２００を胴差し２１７の下方側の第１空気流路２００と繋ぐことは、図１において、１階の天井１０５と２階の床１０６に形成した第１空気流路２００を１階の内壁１０４に形成した第１空気流路２００に繋ぐことに適用される。また、胴差し２１７の上下の第１空気流路２００は、胴差し２１７で分断されるが、胴差し２１７に上下に設けた貫通孔２２０で繋がれ、胴差し２１７を挟んで上方から下方へ、或いはその逆に、空気（空調済み空気）は、第１空気流路２００を流れる。第２空気流路２１０についても同様である。
【００３０】
以上説明したように、本実施例の家屋１００では、空調機室１２１の室内に外気導入系１５０を経て外気を導入し、その導入した外気（空調機室内の空気）を空調機１４０にて目標温度に空調する。この空調済み空気は、通気孔１９０から天井１０８の第１空気流路２００に入り込んで当該流路を通過し（図３参照）、空気導入口１６０から当該導入口を有す第３ルーム１００ｒ３等の２階の住居空間に入り込む。本実施例の家屋１００は、図２に示すように、第１空気流路２００をｘ方向流路およびｙ方向流路とし、これらを繋いでいるので、空気導入口１６０を有するそれぞれの住居空間に空調済み空気を入り込ませる。また、本実施例の家屋１００は、２階の天井１０８に水平方向に延びる第１空気流路２００を、２階の内壁１０４の第１空気流路２００、１階の天井１０５と２階の床１０６に水平方向に延びる第１空気流路２００、１階の内壁１０４の第１空気流路２００、および床１０２の第１空気流路２００に繋げる（図５参照）。よって、第１ルーム１００ｒ１等の１階の住居空間にあっても、空調済み空気を空気導入口１６０から入り込ませる。
【００３１】
また、本実施例の家屋１００は、１階および２階のそれぞれの住居空間に空気排出口１７０を備え、この空気排出口１７０を、図２に示すように、２階の天井１０８においては、ｘ方向流路およびｙ方向流路で繋がった第２空気流路２１０に繋げる。その上で、１階の天井１０５と２階の床１０６に水平方向に延びる第２空気流路２１０と、空調システム１２０の第２空気流路２１０とを、外壁１０３を上下に延びる第２空気流路２１０に繋げる（図１、図５参照）。そして、外壁１０３の第２空気流路２１０は、外気放出口２２２に繋がっているので、１階および２階のそれぞれの住居空間に入り込んだ空気は、空気排出口１７０から上記の第２空気流路２１０に入り込んで当該流路を通過し、外気放出口２２２を経て外気に放出される。本実施例の家屋１００は、こうした空調済み空気の導入と排出により空調済み空気の循環を第１ルーム１００ｒ１等の各住居空間で起こして空調することで、住居空間の快適性を高めている。
【００３２】
より具体的に説明すると、本実施例の家屋１００は、その有する空調システム１２０の空調機１４０に行う空調の目標温度を、空調機室１２１の室内温度と、第１ルーム１００ｒ１等の住居空間の目標温度との温度差が、冷房空調の際には摂氏５℃以内、暖房空調の際には摂氏１０℃以内になるように小さく設定し、空気送風機１２３による空気送風量が１００〜５，０００ｍ3／ｈの流量となるように設定されている。
【００３３】
従って、第１ルーム１００ｒ１等の住居空間の目標温度と、空気導入口１６０から住居空間に導入される空気の温度との差は、冷房空調の際では摂氏５℃より小さく、暖房空調の際でも摂氏１０℃より小さい。このため、第１ルーム１００ｒ１等の住居空間に居る人に空気導入口１６０から導入された空調済み空気が当たっても、温度差による不快感を軽減できる。
【００３４】
また、体感の温度差を上記のように軽減できるので、ヒートショックを生じ難くできる。ヒートショックとは、急激な温度の変化が、身体に及ぼす影響のことをいう。例えば、冬の入浴時の脱衣室から浴室への急激な温度変化は、血管を著しく伸縮させるとともに、血圧や脈拍を大きく変動させる。これにより、脳梗塞や、脳出血を引き起こすことがあるが、ヒートショックを生じがたくすることで、これら疾患を予防できる。
【００３５】
また、空調機１４０については、市販の省エネルギーのエアコンをそのまま流用できるので、簡便で安価となる。空調機１４０の保守や交換も容易である。
【００３６】
加えて、１階の床１０２や、天井１０５、２階の床１０６、天井１０８および外壁１０３や内壁１０４に形成した第１空気流路２００に空調済み空気を既述した大風量で流すので、第１空気流路２００におけるカビの発生を抑制することができる。
【００３７】
そして、本実施例の家屋１００は、空調機１４０で空調済みの空気が流れる第１空気流路２００を、第１ルーム１００ｒ１等の住居空間を区画する天井１０５や床１０６、外壁１０３、内壁１０４において、根太２０２や間柱２１２にて形成した上で、空調機室１２１に繋ぐ。また、第２空気流路２１０については、これを、第１ルーム１００ｒ１等の住居空間を区画する天井１０５等において、第１空気流路２００と同様に根太２０２や間柱２１２にて形成した上で、各住居空間の空気排出口１７０に繋ぐと共に外壁１０３の外気放出口２２２にも繋ぐ。これら第１空気流路２００および第２空気流路２１０は、既述したように天井１０５等を構築する根太２０２の並びに沿って、或いは外壁１０３や内壁１０４を構築する柱２１１や間柱２１２の間にて形成でき、既存の家屋における根太２０２や、柱２１１および間柱２１２の構成をほぼ踏襲できる。この結果、本実施例の家屋１００によれば、空調機１４０にて家屋全体の空調を図るに当たって、既存の家屋設計手法や施工工事手法を適用できることから、設計や施工を簡略化できる。
【００３８】
また、本実施例の家屋１００では、ダクトを引き回す必要がないことから、ダクトを人目に付かないような特別な設計手法や施工が不要となる。加えて、１５０〜２００ｍｍ程度の径のダクトが不要なことから、壁等へのダクト配設が無用となり、住居空間の狭小化を抑制できる。
【００３９】
次に、変形例について説明する。図６は空調済み空気の導入とその排出の効率化を図る一手法を示す説明図である。この変形例では、第１空気流路２００と第２空気流路２１０に、空気送風機１２３を有する。空気導入口１６０に対応付けて設置された空気送風機１２３は、第１空気流路２００を流れる空調済み空気の空気導入口１６０への送風を図り、第１ルーム１００ｒ１等の住居空間への空気流入効率を高める。空気排出口１７０に対応付けて設置された空気送風機１２３は、第１ルーム１００ｒ１等の住居空間の空気の空気排出口１７０からの吸引を図り、第１ルーム１００ｒ１等の住居空間から空気排出効率を高める。この変形例によれば、空調済み空気の導入と排出による空気の循環が確実となるので、住居空間の空調効果の実効性を向上できる。そして、空気送風機１２３を床形成時や壁形成時に設置するだけで済むので、簡便である。この場合、空気導入口１６０や空気排出口１７０を、上記の流路の側に空気送風機１２３を装着するようにすることもできる。なお、空気送風機１２３は、空調機１４０から空気通過経路が最も長い空気導入口１６０に設置したり、外気放出口２２２から最も離れた空気排出口１７０に設置すればよい。
【００４０】
以上、本発明の実施の形態について説明したが、本発明はこのような実施の形態になんら限定されるものではなく、その要旨を逸脱しない範囲内において種々なる態様での実施が可能である。例えば、上記の実施例では、空調システム１２０の設置スペースに余裕がある屋根裏１１０を有する家屋１００としたが、こうした家屋に限られない。図７は第１変形例の家屋１００Ａの概略構成を図１相当に模式的に縦断面視して示す説明図、図８は第２変形例の家屋１００Ｂの概略構成を図１相当に模式的に縦断面視して示す説明図である。
【００４１】
図７に示す家屋１００Ａは、傾斜が緩い切妻の屋根１０９を備え、屋根裏１１０には空調システム１２０の設置スペースを確保できない。こうした家屋１００Ａでは、２階の住居空間以外の一画、例えば、押し入れスペースの一部領域を、空調システム１２０の設置スペースとすればよい。なお、この家屋１００Ａは、紙面における奥側に上記の外気導入系１５０を備えており、当該導入系から外気を導入する。
【００４２】
図８に示す家屋１００Ｂは、平屋建て家屋であって、１階の住居空間以外の一画、例えば、浴槽やトイレ周辺の一部領域を、空調システム１２０の設置スペースとすればよい。なお、この家屋１００Ｂにあっても、紙面における奥側から上記の外気導入系１５０により外気を導入する。
【００４３】
また、１階と２階の内壁１０４については、屋根裏１１０から１階の床１０２まで延びるものであっても良い。この他、オフィス用の家屋に適用することもできる。
【符号の説明】
【００４４】
１００、１００Ａ〜１００Ｂ…家屋
１００ｒ１…第１ルーム
１００ｒ２…第２ルーム
１００ｒ３…第３ルーム
１００ｒ４…第４ルーム
１００ｒ５…第５ルーム
１００ｒ６…廊下
１００ｒ７…階段
１０１…基礎
１０２…床
１０３…外壁
１０４…内壁
１０５…天井
１０６…床
１０８…天井
１０９…屋根
１１０…屋根裏
１１１…床下
１２０…空調システム
１２１…空調機室
１２２…仕切プレート
１２３…空気送風機
１４０…空調機
１５０…外気導入系
１５１…外気吸入部
１５３…接続部
１５４…外気導入管
１５５…熱交換器
１５６…エアフィルター
１６０…空気導入口
１７０…空気排出口
１９０…通気孔
２００…第１空気流路
２０１…枠材
２０２…根太
２０３…仕切用根太
２０４…パネル
２０５…パネル
２０７…凹部
２１０…第２空気流路
２１１…柱
２１２…間柱
２１３…胴縁
２１４…パネル
２１５…パネル
２１６…凹部
２１７…胴差し
２１８…傾斜部
２１９…貫通孔
２２０…貫通孔
２２２…外気放出口
【図１】
2013195023.tif 000003
【図２】
2013195023.tif 000004
【図３】
2013195023.tif 000005
【図４】
2013195023.tif 000006
【図５】
2013195023.tif 000007
【図６】
2013195023.tif 000008
【図７】
2013195023.tif 000009
【図８】
2013195023.tif 000010